(57)【要約】      （修正有）【課題】遺骨を粉体化し散骨条件化し、数千人規模集約した混合集約預かり品扱いの保管倉庫を提供する。【解決手段】遺骨預かり契約上物品とし、遺骨を粉体化し散骨条件化し、数千人規模集約した混合集約預かり品扱いの保管倉庫として中空の金属鋳造物を造り、金属鋳造物超長期保管預かりの経済的持続ノウハウとして、倉庫適合造物形状を人類文化相貌物に模擬形状の多様化し、展示価値を与え、観賞価値対価を持って維持経済を賄いつつ、長期的情報など蓄積により、五百年千年後文化遺産化する戦略事業発明とし、展示価値観を与える用件を主張し、尚且つ一展自治区集群人数を５０〜１００万とし、その対価の経済的ボリュームを得て維持存続を図り、少なくとも本発明主意の集骨像を望む個人は、その人生形跡の年代氏名は残り留めつつ、希望後継者のみ家系情報等の更新蓄積を、事業経済システム的に実現する。【選択図】なし【特許請求の範囲】
【請求項１】
耐候性金属で中空鋳造物となし、該中空を粉体遺灰集群の保管倉庫筺体とする。
【請求項２】
鋳造物形状を人類文化思考の創造物とする、多種多様形状の貸倉庫筺体とする。
【請求項３】
多種多様形状貸倉庫筺体鋳造物を、展示物とする。
【発明の詳細な説明】
【技術分野】
【０００２】  超長期保存の保管物品収納倉庫を、風雨及び酸性雨から変性を防備し、収納物を自然環境で超長期間防護する倉庫分野。
【背景技術】
【０００３】  倉庫は保管物品により多種多様化し、巨大建造物は物流倉庫から個人使用の個人別コンテナハウス、複合ビルフロアー空間区分倉庫と多様化し、他方温度湿度管理倉庫分野もあり、建造物総体と内部区分の温度等管理ブロック倉庫、銀行等の貸金庫も倉庫、前記倉庫共通項は外気遮断せぬ、倉庫内部に余剰空間を維持する管理倉庫である。
いずれも保存保管物品の出し入れ管理倉庫とし、大気を含む環境管理物品は物品毎の環境変性を個別防備し倉庫保管目的を達成し、倉庫建造素材は建築物に分類される素材である。【０００４】  倉庫内部の余剰空間無き倉庫に類するのは、液体保管保存分野で通称タンクと称し、海陸物流輸送に使用され、固定タンクはガソリンスタンドに類する地下タンク、地上タンクでは液化ガスタンクがあり、いずれもタンクと別名し、倉庫の一種である。【０００５】  倉庫収納保管の維持管理に関し共通項は、盗難防止目的に危険物取扱者維持の施錠以外に無く、倉庫その物を前期目的を維持しつつ、一般大衆の目に晒す目的倉庫が世界規模で存在しないのも事実。
【先行技術文献】
【０００６】  一般代名詞の倉庫は用途により多数種あり、地上に於いては全て建築構造物。地下倉庫も在り湿度温度一定の性質から発酵食品化学に類する倉庫が一般的。
【０００７】  文化芸術品倉庫、湿度温度に遮光倉庫に、菌類微生物浸食排除の大気滅菌を付加している。
【０００８】  ５０世紀、１００世紀に至る保存維持思考倉庫の、思想提唱倉庫は皆無である。
【特許文献】
【０００９】
【発明が解決する課題】
【００１０】  風雨に晒され、一般大衆に晒す自然環境下で、盗難や破損破壊を懸念せず５０〜１００世紀に渡る保存維持。
【００１１】  ５千人規模遺骨遺灰集合倉庫とし、取扱法から除外される方法手段と思考の原点。
【００１２】  保管保存物の超長期的維持管理の経済性。
【課題を解決するための手段】
【００１３】  超長期倉庫保管は略半永久倉庫保存目的の耐候性金属容器を倉庫素材に黄銅鉱を主体に、保管空洞を維持する鋳造形成し、酸性雨等に防備し露天置き倉庫とした。黄銅鉱は銅と亜鉛合金の酸化皮膜の対抗性、酸化皮膜概念では純銅も適合素材に、炭素多量含有する鋳鉄も露天晒に耐候性があり、ＲＸガスの炭素ガン浸を表層に加えたり、近代科学ではイオン注入法、亜鉛のドブ漬け高厚被膜もある。
【００１４】  金属容器倉庫とする内空に数千単位の混合し集合化した遺骨投入に、流動固化物と供に混合攪拌し、小さい注入口から空洞を埋め、注入口を埋め機密確保し露天置き倉庫躯体とした。
【００１５】  集団粉体化遺骨の鋳造倉庫内保管物、将来希望や変化対応に露天保管は、社会国家状況の環境や法律変化で適合場所移動に適宜移動できる倉庫地保管であり、現行法は回避される。
【００１６】  鋳造倉庫形状は無味乾燥な同一である必要なく、露天定置倉庫の姿を人類文化造形物と同様多種多様形状化する事で、芸術文化財的雰囲気となる結果、定置保管地を一般公開地とし、観光収入を得て維持管理の持続性を確保できる。
【００１７】  以上の戦略的結果、特定保管地に数千人規模単体の倉庫保管と化した倉庫群とする時、遺骨集合体は一つ一つ預かり集合保管物であり、２００年１０００年の露天倉庫地は設置環境と融合し、５０００年後人類文化を象徴する遺跡化する。
【発明の効果】
【００１８】  密閉内空を持つ金属躯体は遺灰預かり露天置き倉庫概念は、現法規制対象外となる完全な露天置きトランクルーム化した貸し倉庫同然である。従って遺灰に関し同一思考と思想をもった人々の集団遺灰を預かる完全密閉金属筺体は、集団で超長期借受け契約倉庫である。
【００１９】  預かり遺灰は粉体化し固化物混合体で固化し、倉庫とする金属筺体内在遺骨は外部に漏れ飛散することはなく、尚且つ人骨形状を失った粉体混合人骨は、他生物の骨と同様分別不可能状態カルシウムは、洋上並びに山林散骨法律用件となり、無管理散骨の墓苑中の樹木葬散骨許可に該当し、法規制対象外と同様である。
【００２０】  金属容器形状の多種多様化によって、陳列鑑賞物化し、収納保管内在物に疑問視し感傷的感情を誘発しない。
【００２０】  粉体遺灰固化内在するトランクルーム化した金属体重量は３〜５トンと重量物化し露天展示保管品の盗掘を回避する。
【００２０】  同一思想信条を共にする遺灰集群化を達成した。即ち、宗教起因形状、性別集群、趣味趣向集群、芸術該当形状、又はモアイ遺跡像に類する世界遺産造形などと列記できる。
【００２１】  アート的展示場に転換したトランクルーム化展示物の多数展示は公園化し、長い年月の末人類文化遺跡となり末永い保存地帯となる。
【００２１】  人類文化遺跡は因果関係の歴史記録が必要である。集団単位中のトランクルームに個人名のみ氏名刻印し、遺灰該当親族歴史は近代情報革命を駆使し、倉庫保管の集団単位毎の個人及び家系歴史をコンピュータ−（以下ＰＣと記載）上で一括管理し歴史保全する。
供養不可能な倉庫保管定置地帯に対し、ＰＣ情報をＣＧ動画配信による故人と親族家系要望に沿う祭事を実現は、遠隔在住者の利便性は商圏範囲を広げた
【００２３】  平成２９年自治省発表は、今後４０〜５０年間に四千〜六千万人の日本国民が単独葬の散骨要望、若しくは後継者無きとある無縁葬儀。本事実は安土桃山時代から名字的社会制度が始まる頃から個人記録が残り始まる時代は僅か４００〜３５０年前の寺古文書に辛うじて著名人記録を認め、近代テクノロジーと思想で日本国民一人ひとりの歴史文化の消失回避に一石を投じる発明である。
【００２３】  世界人口増加に比例し、核家族化の風潮は大量墓地墓苑が必要となり、この需要限界が報じられ、中国政府は海上散骨の提唱、人体埋葬習慣の欧州諸国では無縁関係者埋葬地に、数年後なら第三者埋葬許可とする現実がある。
本発明に因る５千人〜１万人単位の造形物中遺灰集合の三次元的占有面積は、墓地墓苑の略十万分の１に集約され、１００万家計規模集骨環境は現在存在せず、本発明方式とシステムにより、個人情報蓄積のトランクルーム的展実物集合地は、新文化の始まりである。
【００２４】  最重要効果の施設維持管理経営存続性があり、五千年１万年を超える経済的継続条件獲得にある。
倉庫像保管地は、環境破壊された特定地区自然環境に求め、該当地は高山跡地であり、回復不可能環境破壊地に経済的付加価値を与えその原資を以って環境復興は、観光地経済効果と成す。
【００２５】  鉱山跡地は過疎化地帯でもある。過疎化地帯に複数新職業環境を誘発し定住者を得、今後日本で発生する人口減少と過疎化地域に多様な新職業を誘発し、地方自治救済事業となる。
【００２６】  超長期的事業持続。想定事例千個造形の多様性像集積集群の充足期間は２０〜５０年の長い年月、総体経済規模１兆円超え事業規模であり、地方経済維持活性化に十分である。
【実施例】
【００２７】  重要特徴は、人骨形状の残る遺骨を散骨条件と同一粉体化し、遺灰粉を集群化の固化物として、収納保管躯体に納める形状にある。
収納保管躯体をコンテナ貸倉庫と同一概念とし、コンテナ貸倉庫形が同一形式形状に対し、鑑賞するに値する形状にし、遺跡化する歴史的集群として価値ある夫々異なる造詣にある。【００２８】  異なる造詣に宗教色を一切廃するのが理想であるが、神道国家の日本では大仏像・観音像・お地蔵様の像・菩薩像等が事例として掲げるが、地球儀・月・宇宙ロケット・鳳凰・著名芸術作品、並びに日本生活文化的形の雛人形・鯉のぼり、世界歴史に目を向けるとき「女神像」「モアイ像」「埴輪像」「エジプトファラオ像」、国際化の多様性社会では信奉する宗教シンボル希望もあるだろう、他方趣味趣向の競馬馬・競艇ボート・熱気球なども要望可能性は排せないが、多種多様な人類創造物の形があり、これらの中から散骨希望意見要望の集約物形となる。【００２９】  遺灰はカルシウム金属元素である。散骨同様粉体化し、セメントと混和融合一体化した固化遺灰に面影は無く、５千人規模粉体遺灰集合体は個人識別並びに分離不可能となり、造形物は物と化し宗教上の対象物でなくなり、一人ひとりの心の個人のみに残る感情のみで、集合体他者に一切の影響を残さない像である。【００３０】  倉庫保管保全の趣旨主意は建造物が風雨に耐える耐候造形物であり、建造物の施設内保管不要であるが、倉庫屋内的展示として日本全国に地下廃坑跡空間もあり、これ等も展示公園地候補とし廃坑の有効活用と経済効果を得る。【００３１】  像は、黄銅鉱など耐候性金属で空洞造形物とし、該内部空間にセメントと粉体遺灰を空洞内固化の造形物は、注入口を塞ぎ外部から物理的に内部一部分を破壊持ち出し不可能であり、尚且つ重量物化し無管理展示物として最適である。【００３２】  希望者応募範囲は国内外問わずの結果、歴史の経過と共に像の展示集積地は国際観光公園の未来がある。【００３３】  個人情報維持管理は、昨今のコンピュータ情報蓄積であり蓄積情報量は無限大に、故人の個人映像情報に加え音声まで蓄積は、５００年後千年後の重要文化である。【００３４】  本発明総体は日々蓄積される有機体であり、５０年スパン散骨希望者２５００万人前後に、３〜４％外套者想定は７〜１０万人需要予測に、１００万人公園施設とシミュレーションは、２５〜５０年の充足スパンとなり、公共施設兼用観光施設とし成長発展の継続的経済効果の余地は十分ある。【００３５】  本発明の適用は墓地墓苑などの宗教的慈善団体事業でない結果、納税対象事業となり、地方財政に寄与する。